(57)【要約】      （修正有）【課題】使用頻度によらず、デジタル放送受信機の制御用ソフトウェアのアップデート処理を簡単に行う。【解決手段】放送波アップデートシステムＡは、放送局１と、放送の受信が可能なデジタル放送受信機（Ｃ）５、（Ｂ）７、（Ａ）１１と、を有している。放送局１からの放送波データ３には、定期的又は不定期に、デジタル放送受信機の制御用ソフトウェアをアップデートするための機器データが含まれる。デジタル放送受信機（Ｃ）５は、放送波データ３を含む放送波を受信する受信部と、他のデジタル放送受信装との間で双方向の通信を行うことができる通信部２５ａと、家庭内で互いに連携しているデジタル放送受信機の所有放送機器リスト１５−１を記憶するメモリ部とを有している。他のデジタル放送受信機である放送機器（Ａ）１１、放送機器Ｂ７も、同様の機能を持ち、これらは放送波データ３を受信機能により受信することができる（Ｌ１）。【選択図】図１
2008294754.tif 000002
【特許請求の範囲】
【請求項１】
放送波データを受信する受信部を有する第１の放送受信機であって、自己と接続される第２から第ｎ（ｎは２以上の整数）までの放送受信機の識別ＩＤを含む放送機器リストを記憶する記憶部と、
放送受信機間において互いに通信を行うためのインターフェイスを含む通信部と、を有し、
前記放送波データを受信すると、前記複数の放送受信機のうちの少なくともいずれかのソフトウェアを更新するためのデータであって前記放送受信機の識別ＩＤにより識別可能に構成される機器データが含まれているか否かを、前記放送機器リストの識別ＩＤを参照して検索し、該当する放送受信機が検索された場合に、検索された放送受信機の機器データを該放送受信機に対して前記通信部より送信する制御を行う制御部を有することを特徴とする放送受信機。
【請求項２】
前記第２から第ｎまでの少なくともいずれかの放送受信機と、前記通信部により接続されると、該通信部を介して、前記第２から第ｎまでの少なくともいずれかの放送受信装置の識別ＩＤとソフトウェアのバージョンに関する機器情報とが該当する放送受信機に伝送され、前記機器リストに書き込まれることを特徴とする請求項１に記載の放送受信機。
【請求項３】
前記第１の放送受信機と、前記第２から第ｎまでの放送受信機との間で、前記通信部を介して前記放送機器リストが共有され、それぞれの放送受信機において管理されることを特徴とする請求項１又は２に記載の放送受信機。
【請求項４】
前記機器データを送信するタイミングを、自己の放送受信機の電源オンを検出したタイミングとすることを特徴とする請求項１に記載の放送受信機。
【請求項５】
前記機器データを受信した前記第２から第ｎまでの少なくともいずれかの放送受信機において、該機器データを受信した旨を報知することを特徴とする請求項１から４までのいずれか１項に記載に放送受信機。
【請求項６】
少なくとも第１の放送受信機と第２から第ｎまで（ｎは２以上の整数）の放送受信機とを含む複数の放送受信機を有する放送波ダウンロードシステムであって、
それぞれの放送受信機が、
放送波データを受信する受信部と、
自己と接続される放送受信機の識別ＩＤを含む放送機器リストを記憶する記憶部と、
互いに通信を行うためのインターフェイスを含む通信部と、を有し、
前記放送波データを受信すると、複数の放送受信機のうちの少なくともいずれかのソフトウェアを更新するためのデータであって放送受信機の識別ＩＤにより識別可能に構成される機器データが含まれているか否かを、前記放送機器リストの識別ＩＤを参照して検索し、該当する放送受信機が検索された場合に、検索された放送受信機の機器データを該放送受信機に対して前記通信部より送信する制御を行う制御部を有することを特徴とする放送波ダウンロードシステム。
【請求項７】
放送波データを受信するステップと、
自己と接続される接続先放送受信機の識別ＩＤを含む機器リストを記憶するステップと、
前記放送波データに、前記接続先放送受信機のソフトウェアを更新するためのデータであって機器の識別ＩＤにより識別可能に構成される機器データが含まれているか否かを、前記機器リストの識別ＩＤを参照して検索するステップと、
該当する接続先放送受信機が検索された場合に、検索された放送受信機の機器データを通信部より送信するステップと
を有することを特徴とする放送波ダウンロード方法。
【請求項８】
請求項７に記載のステップをコンピュータに実行させるためのプログラム。
【請求項９】
請求項８に記載のプログラムを記録するコンピュータ読みとり可能な記録媒体。
【発明の詳細な説明】
【技術分野】
【０００１】
本発明は、放送波受信機に関し、特に、放送波受信機能を有するテレビジョン受信装置のバージョンアップなどの制御用ソフトウェアの更新処理を行うことができる放送受信機に関する。
【背景技術】
【０００２】
電子機器の制御用ソフトウェアに関するアップデートデータは、通信網および放送網よりダウンロードすることができる。ある機器に制御用ソフトウェアップデートを実施する場合、その機器が外部との通信または放送受信手段を持ちダウンロードを実施するか、ダウンロードしたデータを、ユーザがその機器に書き込む必要があった。例えば、パーソナルコンピュータの場合には、インターネット接続環境があればインターネット通信により、手動又は自動でアップデート可能である。また、テレビジョン受信装置では、放送波を受信して、機器の制御用ソフトウェアをアップデートすることが可能である。
【０００３】
その他、例えば、下記特許文献１には、各種ソフトウェアを保存するための補助記憶装置と、補助記憶装置に記憶された実行プログラムを読み込むためのＲＡＭと、ＲＡＭに読み込まれたプログラムを実行するためのＣＰＵと、外部コンピュータと通信を行うための通信ポートとを備えたネットワーク機器が記載されている。このシステムでは、プログラムのアップデートを行う際に、外部コンピュータから対象プログラムを一時的な名前に変更してＲＡＭに転送すると、スケジューラを起動して、一定時間おきに置き換えプログラムの有無とそのプログラムの実行状態とを調べ、実行されていない場合にはプログラムの置き換えを行うことができる。
【０００４】
【特許文献１】特開２００３−１２２５８７号公報
【発明の開示】
【発明が解決しようとする課題】
【０００５】
上記のように、一般的には、ダウンロードのデータを取得する際には、パーソナルコンピュータなどのようにその機器自体が通信手段（インターフェイス）を持つか、ユーザが自発的にダウンロードデータを例えば記録媒体などの形態で取得し、記録媒体に記録されたアップデートデータに基づいてデータを更新する必要があった。ところで、最近では、種々のデジタル放送受信装置が家庭内に配置され、かつ、アップデートまでの期間も短縮される傾向にある。
【０００６】
ところで、デジタル放送受信装置において更新プログラムを受信するためには、該当するデジタル放送受信装置が受信可能な状態である必要がある。送られてくるアップデートデータがそのデジタル放送受信装置に該当するのであれば、アップデートデータを受信し更新を行なうことが出来る。しかしながら、家の中にあるデジタル放送受信装置において常にすべての機器が通電されているとは限らない。特に、アップデートデータの送信期間は決められた期間のみであるため、例えば、電源を入れる機会の少ないデジタル放送受信装置では、アップデートデータを受信し損ねてしまうという問題があった。
【０００７】
すなわち、使用頻度が低く長期通電されていない場合、該当する更新データが受信出来ない場合があった。加えて、ユーザは、どのタイミングでアップデートデータが放送されるかを知らないため、家の中にあるデジタル放送受信装置（テレビジョン受信装置やＨＤＤレコーダなどの記録再生装置）のアップデートが行われないままになっている可能性が高くなる。
【０００８】
本発明は、使用頻度によらず、制御用ソフトウェアのアップデート処理を簡単に行うことができるデジタル放送受信機を提供することを目的とする。
【課題を解決するための手段】
【０００９】
本発明の一観点によれば、放送波データを受信する受信部を有する第１の放送受信機であって、自己と接続される第２から第ｎ（ｎは２以上の整数）までの放送受信機の識別ＩＤを含む放送機器リストを記憶する記憶部と、放送受信機間において互いに通信を行うためのインターフェイスを含む通信部と、を有し、前記放送波データを受信すると、前記複数の放送受信機のうちの少なくともいずれかのソフトウェアを更新するためのデータであって前記放送受信機の識別ＩＤにより識別可能に構成される機器データが含まれているか否かを、前記放送機器リストの識別ＩＤを参照して検索し、該当する放送受信機が検索された場合に、検索された放送受信機の機器データを該放送受信機に対して前記通信部より送信する制御を行う制御部を有することを特徴とする放送受信機が提供される。
【００１０】
上記放送受信機によれば、いずれかの放送受信機が例えば電源オフであっても、他の放送受信機がソフトウェアを更新するためのデータを受け取っておき、後に該当する機器に対してソフトウェアを更新するためのデータを送ることができる。前記第２から第ｎまでの少なくともいずれかの放送受信機と、前記通信部により接続されると、該通信部を介して、前記第２から第ｎまでの少なくともいずれかの放送受信装置の識別ＩＤとソフトウェアのバージョンに関する機器情報とが該当する放送受信機に伝送され、前記機器リストに書き込まれることを特徴とする。
【００１１】
また、前記第１の放送受信機と、前記第２から第ｎまでの放送受信機との間で、前記通信部を介して前記放送機器リストが共有され、それぞれの放送受信機において管理されることが好ましい。放送機器リストを共有化しておくことで、少なくともいずれかの放送受信装置がオンであれば、簡単に他の装置に関する更新すべきデータの有無を検索することができる。また、新たな更新データがあった場合における処理が短縮できる。
【００１２】
前記機器データを送信するタイミングを、自己の放送受信機の電源オンを検出したタイミングとすることが好ましい。また、前記機器データを受信した放送受信装置において、該機器データを受信した旨を報知することが好ましい。このように、ユーザに報知することで、該当する受信装置の電源をオンするきっかけを作ることができる。
【００１３】
また、本発明は、少なくとも第１の放送受信機と第２から第ｎまで（ｎは２以上の整数）の放送受信機とを含む複数の放送受信機を有する放送波ダウンロードシステムであって、それぞれの放送受信機が、放送波データを受信する受信部と、自己と接続される放送受信機の識別ＩＤを含む放送機器リストを記憶する記憶部と、互いに通信を行うためのインターフェイスを含む通信部と、を有し、前記放送波データを受信すると、複数の放送受信機のうちの少なくともいずれかのソフトウェアを更新するためのデータであって放送受信機の識別ＩＤにより識別可能に構成される機器データが含まれているか否かを、前記放送機器リストの識別ＩＤを参照して検索し、該当する放送受信機が検索された場合に、検索された放送受信機の機器データを該放送受信機に対して前記通信部より送信する制御を行う制御部を有することを特徴とする放送波ダウンロードシステムが提供される。
【００１４】
本発明の他の観点によれば、放送波データを受信するステップと、自己と接続される接続先放送受信機の識別ＩＤを含む機器リストを記憶するステップと、前記放送波データに、前記接続先放送受信機のソフトウェアを更新するためのデータであって機器の識別ＩＤにより識別可能に構成される機器データが含まれているか否かを、前記機器リストの識別ＩＤを参照して検索するステップと、該当する接続先放送受信機が検索された場合に、検索された放送受信機の機器データを通信部より送信するステップと、を有することを特徴とする放送波ダウンロード方法が提供される。
【００１５】
上記のステップをコンピュータに実行させるためのプログラム、このプログラムを記録するコンピュータ読みとり可能な記録媒体も本発明の範疇に入るものである。
【発明の効果】
【００１６】
本発明によれば、家庭内に複数台制御プログラムが更新できる放送受信機がある場合に、常に全ての受信機が受信可能な状態でない場合であっても、いずれかの機器が更新プログラムが送信される情報を受信するとユーザに通知を行い、該当機器を受信可能状態にすることにより更新プログラムを受信することができる。これにより、使用頻度の低い受信機であっても、最新の更新プログラムを受信することが可能になる。
【発明を実施するための最良の形態】
【００１７】
以下、本発明の一実施の形態による放送受信機を含む放送波ダウンロードシステムについて図面を参照しながら説明を行う。
【００１８】
図１は、本実施の形態による放送波ダウンロードシステムの概要を示す原理図である。図１に示すように、本実施の形態による放送波アップデートシステムＡは、放送局１と、放送の受信が可能なデジタル放送受信機（Ｃ）５、（Ｂ）７、（Ａ）１１と、を有している。さらに多くのデジタル放送受信機が含まれていても良い（ｎの放送受信機、ｎは２以上の整数）。放送局１からの放送波データ３には、定期的又は不定期に、デジタル放送受信機の制御用ソフトウェアをアップデートするための機器データが含まれる。例えば、放送波データ３中には、機器Ａデータ３ａ、機器Ｂデータ３ｂ、…、機器Ｘデータ３ｘが含まれている。
【００１９】
デジタル放送受信機（Ｃ）５は、放送波データ３を含む、放送局１からの放送波を受信するアンテナ２１を含む受信部と、他のデジタル放送受信機との間で双方向の通信を行うことができる通信部（通信インターフェイス）２５ａと、家庭内で通信部により互いに連携しているデジタル放送受信機のリスト（自己を含む）である所有放送機器リスト１５−１を記憶するメモリ部と、を有している。所有放送機器リスト１５−１に関するデータは、放送波から放送波データ３として一括して受信することができる（Ｌ１）。
【００２０】
【表１】
2008294754.tif 000003
【００２１】
表１は、所有機器データの一構成例を示す図である。表１に示すように、所有放送機器リスト１５−１は、例えば、機器Ａ、Ｂ、Ｃ、…Ｎのリストである。この所有放送機器リストには、例えば、機器名（Ａ、Ｂ、…Ｎ）と、それぞれを一意に識別するＩＤ（１０１、１０２、…。１０ｎ）と、最終ダウンロードバージョン（Ｖｅｒ）と、最終ダウンロード日時のデータを含む。これらのデータに基づいて、機器データ３ａ〜３ｘに含まれる対応するデータとの比較により、最終ダウンロードバージョンよりも後のバージョンのダウンロードデータにより機器の制御用ソフトウェアを更新することができる。最終ダウンロード日時のデータに基づいて、更新の要否を判定しても良い。この所有放送機器リストを参照することで、放送波データ３に含まれる機器データ３ａから３ｘ中に、自己に適した機器データが存在するか否かを判定することができる。
【００２２】
また、他のデジタル放送受信機（Ｂ）７、例えばＨＤＤレコーダも、放送波データ３を受信できるアンテナ６１ａを含む受信部と、他のデジタル放送受信機との間で双方向の通信を行うことができる通信部（通信インターフェイス）６５ａと、家庭内で通信部により互いに連携しているデジタル放送受信機のリストである所有放送機器リスト１５−２であって所有放送機器リスト１５−１と共有のリストを格納するメモリと、を有している。すなわち、放送機器Ｂ７も、放送波データ３を、受信機能により受信することができる（Ｌ１）。
【００２３】
また、他のデジタル放送受信機（Ａ）１１、例えば小型の液晶テレビジョン装置も、放送波データ３を受信できるアンテナ６１ｂを含む受信部と、他のデジタル放送受信機との間で双方向の通信を行うことができる通信部（通信インターフェイス）６５ｂと、家庭内で通信部により互いに連携しているデジタル放送受信機のリストである所有放送機器リスト１５−２であって所有放送機器リスト１５−１と共有のリストを格納するメモリと、を有している。すなわち、放送機器Ｂ７も、放送波データ３を、受信機能により受信することができる（Ｌ１）。
【００２４】
すなわち、図１に示すシステムでは、放送受信機には、通信部（通信インターフェイス）が少なくとも１つ設けられており、いずれの放送受信機からも機器データと機器リストとの更新が出来るように構成されている点に特徴がある。
【００２５】
図２は、本実施の形態による放送受信機（Ｃ）５の一構成例を示す機能ブロック図である。放送受信機（Ｃ）５は、アンテナ２１と、デジタル放送受信部２３と、通信インターフェイス部２５と、無線通信信号処理部２７と、映像データのデコーダ部３１と、外部からの遠隔操作に基づく指示を受けるためのリモコン受光部３５と、全体を制御する制御部（ＣＰＵ）３７と、記憶部３８と、記憶部３８内において所有機器データ１５−１を記憶する記憶領域と、音声信号処理部４５及びスピーカ４１と、映像信号処理部４７及びディスプレイ４３と、を有している。
【００２６】
図３は、例えばハードディスク（ＨＤＤ）レコーダ（機器Ｂ）７又は小型液晶テレビジョン装置（機器Ａ）１１の一構成例を示す機能ブロック図である。図３に示すように、これらの機器７・１１は、アンテナ６１ａ・６１ｂと、チューナ６３と、無線通信インターフェイス６５ａ・６５ｂと、無線通信処理部６５と、制御部６７と、リモコン受光部７１と、ハードディスク（記憶部）７３と、光ディスク駆動部８３と、操作部８７とを有している。記憶部７３には、所有放送機器リスト１５−２、１５−３がそれぞれ記憶されている。
【００２７】
尚、放送機器間の通信部（ネットワーク）を介してのデータ共有方法は、専用線やＬＡＮ、ＰＬＣなど、お互いが認識できるプロトコルで運用されれば、その形式は問わないが、汎用的な無線ＬＡＮで実現できる。
【００２８】
本実施の形態による放送ダウンロードシステムは、放送データを受信可能な複数の機器同士のグループを、そのグループに所属する全ての機器の現在情報（機器ＩＤや制御用ソフトウェアの更新情報を含む）に共有の共有情報である所有放送機器リストをキーとして連携させることを特徴とする。このような所有放送機器リストの共有のための処理としては、ユーザーが手動で登録を行なうようにしても良いし、放送機器間での通信ネットワークを介して、例えば家の中なオフィス中に設置されている放送機器の制御用ソフトウェアが更新できる機器情報を把握し、それぞれの機器間で同じ情報を共有する（共有情報は、前述のように、メーカー名、機器の型番、現状の制御用ソフトウェアのバージョンなど）。
【００２９】
図４は、本実施の形態による放送波ダウンロードシステムにおける放送機器リストの共有化処理の一例を示すフローチャート図である。対象となる放送機器に関して、それぞれがその機器ＩＤなどにより連携されていることを登録する処理が通信機能に基づいて行われていることが前提となる。
【００３０】
図４に示すように、まず、共有化処理（ステップＳ１）が開始される。ステップＳ２において、例えば放送機器（Ｃ）５の主電源がオンになっているか否かを判定し、オンでなければ、他の所属機器で主電源がオンになっているものを探す。例えば、放送機器（Ｃ）５の主電源がオンになっていれば（Ｙｅｓ）、放送機器（Ｃ）５内にある所有放送機器リストの内容を参照し、他に現在使われている（主電源がオンになっている）放送機器との通信により探索した他の接続先の放送機器（Ｂ）７における “所有放送機器リスト”の内容を通信機能を利用して取得し、放送機器リストを両方の放送機器間で共有する（ステップＳ３）。このようにして、他の放送機器との間で、所有放送機器リストの共有を図り、共有化された所有放送機器リストを持たせることができる。
【００３１】
他の放送機器（Ａ）１１において電源がオンされると、その旨を放送機器（Ｃ）５が検出し、通信機能を利用して放送機器（Ｃ）５の所有放送機器リストを放送機器（Ａ）１１に送信し（ステップＳ５）、放送機器（Ａ）１１との間で放送機器リストに関する情報の共有化が行なわれる。もちろん、放送機器（Ａ）１１の初めから電源がオンされていれば、この機器から放送波データに含まれる機器データを受信することができる。
【００３２】
以上の処理により、同じグループに属する例えば３台の放送機器における放送機器リストの共有化が行われる。尚、上記の説明では、放送機器（Ｃ）５が放送波データを受け取る例を示しているが、放送機器（Ｂ）７、放送機器（Ａ）１１のいずれが放送波を受け取っても同様に処理することができることは言うまでもない。以下に付いても同様である。
【００３３】
次に、放送ダウンロードシステムにおける制御ソフトウェアのバージョンアップ処理について説明する。図５は、制御ソフトウェアの放送機器におけるバージョンアップ処理の流れを示すフローチャート図である。
【００３４】
まず、ステップＳ１１において処理を開始し、ステップＳ１２において、例えば、放送機器（Ｃ）５が、放送機器（Ａ）１１の制御ソフトウェアのバージョンアップ通知を放送波３から受信すると、ステップＳ１３においては、放送機器（Ｃ）５で、機器データＡの受信が必要に応じて表示される。この表示によってユーザは、放送機器（Ａ）１１のバージョンアップの必要性を知り、放送機器（Ａ）をオンすることもできる。
【００３５】
放送機器（Ｃ）５の通信機能を利用して、放送機器（Ａ）１１の電源がオンされているか否かを判定し、オフであれば（Ｎｏ）オンになるまで待つ。オンされれば（Ｙｅｓ）、ステップＳ１５に進み、機器データＡを放送機器（Ｃ）５から放送機器（Ａ）１１に送信する。ステップＳ１６において、放送機器（Ａ）１１において、機器データＡに基づくバージョンアップ処理が行われる。バージョンアップ処理が終了すると、ステップＳ１７において、バージョンアップ済みデータに基づいて記憶されている所有放送機器データを更新するとともに、他の放送機器に対して、更新済みの所有放送機器データを通信機能を用いて放送機器（Ｂ）７、放送機器（Ｃ）５にも送信し、所有放送機器データの共有を行い、処理を終了する（ステップＳ１８）。
【００３６】
以上のようにして、所有放送機器データの共有と、放送波に含まれる機器データに基づく制御ソフトウェアのバージョンアップ処理を行うことができる。基本的には、複数の放送機器のいずれかはオンである状態であれば、放送波データに含まれる機器データを逃す可能性が少なくなるため、制御用ソフトウェアのバージョンアップが可能となる。バージョンアップの実行には時間差があるものの常に同じ"機器リスト"を共有することができる。
【００３７】
このように、家庭内にある放送機器のいずれかが家庭内にある放送機器のバージョンアップの通知を受け取ると、その旨をユーザーに通知し、該当機器の電源を入れるように促すことにより、使用頻度の低い機器であっても最新のソフトウェアをダウンロード出来、常に最新の状態で機器を使用することができるという利点がある。
【産業上の利用可能性】
【００３８】
本発明は、デジタル放送受信機の制御データのバージョンアップに利用できる。
【図面の簡単な説明】
【００３９】
【図１】本発明の一実施の形態による放送受信機を含む放送波ダウンロードシステムの概要を示す原理図である。
【図２】本発明の一実施の形態による第１の放送受信機の一構成例を示す機能ブロック図である。
【図３】本発明の一実施の形態による第２の放送受信機の一構成例を示す機能ブロック図である。
【図４】本実施の形態による放送波ダウンロードシステムにおける放送機器リストの共有化処理の一例を示すフローチャート図である。
【図５】制御ソフトウェアの放送機器におけるバージョンアップ処理の流れを示すフローチャート図である。
【符号の説明】
【００４０】
Ａ…放送波アップデートシステム、１…放送局、３…放送波データ、３ａ…機器Ａデータ、３ｂ…機器Ｂデータ、５…デジタル放送受信機（Ｃ）、７…デジタル放送受信機（Ｂ）、１１…デジタル放送受信機（Ａ）、２１…アンテナ、２５ａ・２５ｂ…通信部（通信インターフェイス）、１５−１〜３…所有放送機器リスト。
【図１】
2008294754.tif 000004
【図２】
2008294754.tif 000005
【図３】
2008294754.tif 000006
【図４】
2008294754.tif 000007
【図５】
2008294754.tif 000008